(57)【特許請求の範囲】
【請求項１】
光学的黒エリアおよび有効エリアが隣接して形成され、両エリアに対し複数列にわたって配置される光電変換素子と該光電変換素子に隣接して配置され該光電変換素子での光電変換出力を受けて該光電変換出力を含む電荷を垂直方向に転送する垂直転送レジスタと該垂直転送レジスタの端部に接続され該垂直転送レジスタから転送される電荷を水平方向に転送する水平転送レジスタを有し該電荷を撮像信号として出力する撮像手段と、
前記光電変換素子から前記垂直転送レジスタへの光電変換出力の転送及び前記電荷の垂直及び水平レジスタでの転送を制御して前記撮像信号を所定のフレームレートで順次出力するように前記撮像信号を駆動制御する駆動制御手段と、
前記垂直転送レジスタへの光電変換出力の転送を禁止した状態で前記垂直及び水平レジスタでの電荷転送を行い暗信号検出値として前記水平転送レジスタから出力する暗信号検出処理を周期的に実行して暗信号検出値を更新する暗信号検出手段と、
前記暗信号検出値を前記光学的黒エリアに対応する第一暗信号検出値と前記有効エリアに対応する第二暗信号検出値に分割し該第一暗信号検出値と該第二暗信号検出値を比較する比較手段と、
前記撮像信号に基づく映像信号に前記暗信号検出値を用いて前記比較手段による比較の結果に応じた補正処理を施す補正手段を備えることを特徴とする、撮像装置。
【請求項２】
光電変換素子の露光を制御する露光制御手段と、
光学的黒エリアおよび有効エリアが隣接して形成され、両エリアに対して配置される前記光電変換素子からの光電変換出力を撮像信号として出力する撮像手段と、
前記撮像信号を所定のフレームレートで順次出力するように前記撮像手段を駆動制御する駆動制御手段と、
前記露光制御手段において露光を禁止した状態で前記撮像信号を出力し暗信号検出値として前記撮像手段から出力する暗信号検出処理を周期的に実行して暗信号検出値を更新する暗信号検出手段と、
前記暗信号検出値を前記光学的黒エリアに対応する第一暗信号検出値と前記有効エリアに対応する第二暗信号検出値に分割し該第一暗信号検出値と該第二暗信号検出値を比較する比較手段と、
前記撮像信号に基づく映像信号に前記暗信号検出値を用いて前記比較手段による比較の結果に応じた補正処理を施す補正手段を備えることを特徴とする、撮像装置。
【請求項３】
前記撮像手段から出力される撮像信号の前記光学的黒エリアに基づいてクランプレベルを検出し該クランプレベルを基準黒レベルとして該撮像信号に対してクランプ処理を施すクランプ手段をさらに備え、
前記映像信号は前記クランプ処理が施された後の撮像信号に基づく信号であることを特徴とする、請求項１乃至請求項２に記載のいずれかの撮像装置。
【請求項４】
前記補正手段は前記比較手段による比較の結果前記第二暗信号検出値よりも前記第一暗信号検出値が大きい場合に前記映像信号から前記暗信号検出値を減算する減算処理を施し、前記比較手段による比較の結果、該第一暗信号検出値よりも該第二暗信号検出値が大きい場合に該映像信号に該暗信号検出値を加算する加算処理を施すことを特徴とする請求項１乃至請求項３に記載のいずれかの撮像装置。
【請求項５】
連続して出力される複数の前記映像信号を比較し前後の動き量を検出する検出手段と、
前記動き量が閾値を上回るか否かを比較する比較手段と、
前記比較手段による比較の結果、前記動き量が閾値を上回る場合には、前記暗信号検出処理を実行させない制御を行う第一制御手段をさらに備えることを特徴とする、請求項１乃至請求項４のいずれかに記載の撮像装置。
【請求項６】
前記映像信号に基づき輝度を検出する輝度検出手段と、
前記輝度が閾値を上回るか否かを比較する比較手段と、
前記比較手段による比較の結果、前記輝度が上回る場合には、前記暗信号検出処理を実行させない制御を行う第二制御手段をさらに備えることを特徴とする、請求項１乃至請求項５に記載のいずれかの撮像装置。
【請求項７】
光学的黒エリアおよび有効エリアが隣接して形成され、両エリアに対し複数列にわたって配置される光電変換素子と該光電変換素子に隣接して配置され該光電変換素子での光電変換出力を受けて該光電変換出力を含む電荷を垂直方向に転送する垂直転送レジスタと該垂直転送レジスタの端部に接続され該垂直転送レジスタから転送される電荷を水平方向に転送する水平転送レジスタを有し該電荷を撮像信号として出力する撮像手段を備える撮像方法であって、
前記光電変換素子から該垂直転送レジスタへの光電変換出力の転送及び前記電荷の垂直及び水平レジスタでの転送を制御して該撮像信号を所定のフレームレートで順次出力するように該撮像手段を駆動制御するステップと、
前記垂直転送レジスタへの光電変換出力の転送を禁止した状態で、前記垂直及び水平レジスタでの電荷転送を行い暗信号検出値として前記水平転送レジスタから出力する暗信号検出処理を周期的に実行して暗信号検出値を更新するステップと、
前記暗信号検出値を前記光学的黒エリアに対応する第一暗信号検出値と前記有効エリアに対応する第二暗信号検出値に分割し該第一暗信号検出値と該第二暗信号検出値を比較する比較ステップと、
前記撮像信号に基づく映像信号に前記暗信号検出値を用いて前記比較ステップによる比較の結果に応じた補正処理を施すステップからなる撮像方法。
【請求項８】
光電変換素子の露光を制御する露光制御手段と、光学的黒エリアおよび有効エリアが隣接して形成され、両エリアに対して配置される前記光電変換素子からの光電変換出力を撮像信号として出力する撮像手段を備える撮像方法であって、
前記撮像信号を所定のフレームレートで順次出力するように駆動制御するステップと、
露光を禁止した状態で前記撮像信号を出力し暗信号検出値として暗信号検出処理を周期的に実行して暗信号検出値を更新するステップと、
前記暗信号検出値を前記光学的黒エリアに対応する第一暗信号検出値と前記有効エリアに対応する第二暗信号検出値に分割し該第一暗信号検出値と該第二暗信号検出値を比較する比較ステップと
前記撮像信号に基づく映像信号に前記暗信号検出値を用いて前記比較ステップによる比較の結果に応じた補正処理を施すステップからなる撮像方法。
【発明の詳細な説明】
【技術分野】
【０００１】
本発明は、撮像素子から出力される画像信号のノイズを低減させる撮像装置に関するものである。
【背景技術】
【０００２】
従来の撮像装置、特に例えば撮像素子から出力される画像信号にクランプ処理を施し、該クランプ処理後の画像信号に基づいて記録および表示を行うデジタルカメラにおいて、該デジタルカメラが具備する撮像素子の温度および感度が変化すると、撮像素子内のクランプエリアと有効エリア間の暗電流（ノイズ）のレベルに大きな差が出現する場合がある。例えば、クランプエリアの暗電流レベルが有効エリアの暗電流レベルよりも大きくなる場合が挙げられる。両者の間で暗電流レベルに差がある状態でクランプ処理を施すと、クランプ処理後の画像信号のレベルは本来の画像信号のレベルよりも異なる場合がある。
【０００３】
さて、撮像素子がベイヤ配列のＣＣＤイメージャであって、出力される画像信号からモニタに表示させる映像信号を生成するとき、画像信号からＲ成分およびＢ成分と比較してより多くのＧ成分を用いて映像信号を生成する手法がある。そして、クランプ処理では、１ライン中のクランプエリアの平均クランプレベルで有効エリアのＲ、Ｇ、Ｂ成分それぞれの画像信号に対しクランプをかけることになる。該手法において映像信号を生成する場合、上述した両者の間で暗電流レベルに差がある状態でのクランプ処理された画像信号は、クランプ処理後の画像信号におけるＲ、Ｇ、Ｂ成分中のＧ成分の比率が、暗電流レベルに差がない状態でのクランプ処理後の画像信号におけるＲ、Ｇ、Ｂ成分中のＧ成分の比率よりも大きくなり、映像信号を生成する際にはより多くのＧ成分を用いることになってしまうため、映像信号が緑色に偏る傾向がある。
【特許文献１】特開２００６−９４４７４号公報  [H04N   5/335]
【発明の開示】
【発明が解決しようとする課題】
【０００４】
特許文献１に記載された従来技術１の撮像装置においては、１フレーム分の画像データを複数のフィールドに分割して得るものであって、静止画撮像前に１フィールド分を、光電変換素子から信号電荷を読み出さない状態で読み出し、これをダミー信号としてＡＧＣ、Ａ／Ｄ変換を施し、補正信号として記録される。そして、静止画撮像用の複数フィールドに対し補正信号を減算することによりノイズを軽減させている。この撮像装置は、クランプ処理において使用されるクランプレベルにランダムノイズが含まれているが画像信号にはランダムノイズが含まれていない状態で、該画像信号にクランプ処理を施してしまうと、本来ノイズを含まない画像信号からランダムノイズを減算する結果となってしまい、その減算により新たなノイズが発生してしまう状態を防ぐのに有効である。
【０００５】
しかしながら、従来技術１では撮像前に１回のみ補正信号を生成するため、スルー画像を表示させる際や長時間動画像を撮像する際において、撮像素子の環境が変化した場合に撮影前の補正信号に基づく減算では適正な画像データを取得することができない恐れがある。
【０００６】
また、従来技術１では、画像データから補正信号を一様に減算することによりノイズの軽減を行っているが、クランプエリアと有効エリアとの間の暗電流（ノイズ）レベルの差を加味しての画像信号の補正に関しては、何ら開示していない。
【０００７】
本発明は、上記の問題点を解決するもので、連続する画像信号に対しより適切なノイズ補正を施すことができる撮像装置を提供するものである。
【課題を解決するための手段】
【０００８】
請求項１の撮像装置は、複数列にわたって配置される光電変換素子と、光電変換素子に隣接して配置され光電変換素子での光電変換出力を受けて、光電変換出力を含む電荷を垂直方向に転送する垂直転送レジスタと、垂直転送レジスタの端部に接続され、垂直転送レジスタから転送される電荷を水平方向に転送する水平転送レジスタを有し、電荷を撮像信号として出力する撮像手段と、光電変換素子から垂直転送レジスタへの光電変換出力の転送及び前記電荷の垂直及び水平レジスタでの転送を制御して、撮像信号を所定のフレームレートで順次出力するように撮像信号を駆動制御する駆動制御手段と、垂直転送レジスタへの光電変換出力の転送を禁止した状態で、垂直及び水平レジスタでの電荷転送を行い、暗信号検出値として前記水平転送レジスタから出力する暗信号検出処理を周期的に実行して暗信号検出値を更新する暗信号検出手段と、撮像信号に基づく映像信号に暗信号検出値を用いて補正処理を施す補正手段を備えることを特徴とする。
【０００９】
請求項１の発明の撮像装置によると、垂直転送レジスタに存在する暗信号を周期的に更新し、連続的に得られる映像信号に対して、更新される暗信号、つまり最新の暗信号を用いて補正するため、撮像素子の環境が変化した場合でも、適正な映像信号を連続的に取得することが出来る。
【００１０】
請求項２の撮像装置は、光電変換素子の露光を制御する露光制御手段と、光電変換素子からの光電変換出力を撮像信号として出力する撮像手段と、撮像信号を所定のフレームレートで順次出力するように撮像手段を駆動制御する駆動制御手段と、露光制御手段において露光を禁止した状態で撮像信号を出力し暗信号検出値として前記撮像手段から出力する暗信号検出処理を周期的に実行して暗信号検出値を更新する暗信号検出手段と、撮像信号に基づく映像信号に暗信号検出値を用いて補正処理を施す補正手段を備えることを特徴とする。
【００１１】
請求項２の発明の撮像装置によると、光電変換素子および垂直転送レジスタの両方に存在する暗信号を周期的に更新し、連続的に得られる映像信号に対して、更新される暗信号、つまり最新の暗信号を用いて補正するため、撮像素子の環境が変化した場合でも、適正な映像信号を連続的に取得することが出来る。
【００１２】
請求項３の撮像装置は、請求項１乃至請求項２に記載のいずれかの撮像装置に従属し、撮像手段は光学的黒エリアおよび有効エリアが隣接して複数の画素から形成され、撮像素子から出力される撮像信号の光学的黒エリアに基づいてクランプレベルを検出し、クランプレベルを基準黒レベルとして撮像信号に対してクランプ処理を施すクランプ手段をさらに備え、映像信号は、クランプ処理が施された後の撮像信号に基づく信号であることを特徴とする。
【００１３】
請求項４の撮像装置は、請求項１乃至請求項３に記載のいずれかの撮像装置に従属し、暗信号検出値を光学的黒エリアに対応する第一暗信号検出値と前記有効エリアに対応する第二暗信号検出値に分割し光学的黒エリアに対応する第一暗信号検出値と有効エリアに対応する第二暗信号検出値を比較する比較手段をさらに備え、補正手段は、比較手段による比較の結果、第二暗信号検出値よりも第一暗信号検出値が大きい場合に映像信号から暗信号検出値を減算する減算処理を施し、比較手段による比較の結果、第一暗信号検出値よりも第二暗信号検出値が大きい場合に映像信号に暗信号検出値を加算する加算処理を施すことを特徴とする。
【００１４】
請求項５の撮像装置は、請求項１乃至請求項４に記載のいずれかの撮像装置に従属し、連続して出力される複数の映像信号を比較し前後の動き量を検出する検出手段と、動き量が閾値を上回るか否かを比較する比較手段と、比較手段による比較の結果、動き量が閾値を上回る場合には、禁止手段を動作させない制御を行う第一制御手段をさらに備えることを特徴とする。
【００１５】
請求項６の撮像装置は、請求項１乃至請求項５に記載のいずれかの撮像装置に従属し、映像信号に基づき輝度を検出する輝度検出手段と、輝度が閾値を上回るか否かを比較する比較手段と、比較手段による比較の結果、輝度が上回る場合には、禁止手段を動作させない制御を行う第二制御手段をさらに備えることを特徴とする。
【００１６】
請求項７の撮像方法は、複数列にわたって配置される光電変換素子と光電変換素子に隣接して配置され光電変換素子での光電変換出力を受けて光電変換出力を含む電荷を垂直方向に転送する垂直転送レジスタと垂直転送レジスタの端部に接続され垂直転送レジスタから転送される電荷を水平方向に転送する水平転送レジスタを有し電荷を撮像信号として出力する撮像方法であって、光電変換素子から垂直転送レジスタへの光電変換出力の転送及び電荷の垂直及び水平レジスタでの転送を制御して撮像信号を所定のフレームレートで順次出力するように撮像信号を駆動制御するステップと、垂直転送レジスタへの光電変換出力の転送を禁止した状態で、垂直及び水平レジスタでの電荷転送を行い暗信号検出値として水平転送レジスタから出力する暗信号検出処理を周期的に実行して暗信号検出値を更新するステップと、撮像信号に基づく映像信号に暗信号検出値を用いて補正処理を施すステップからなることを特徴とする。
【００１７】
請求項８の撮像方法は、光電変換素子に露光を制御するステップと、光電変換素子からの光電変換出力を撮像信号として出力するステップと、撮像信号を所定のフレームレートで順次出力するように撮像信号を駆動制御するステップと、露光を禁止した状態で、撮像信号を出力し、１フレーム分の信号を暗信号検出値として暗信号検出処理を周期的に実行して暗信号検出値を更新するステップと、撮像信号に基づく映像信号に暗信号検出値を用いて補正するステップからなることを特徴とする。
【発明の効果】
【００１８】
本発明の撮像装置および撮像方法によれば、連続する撮像信号に対しより適切なノイズ補正を施すことができる。
【発明を実施するための最良の形態】
【００１９】
以下、本発明の撮像装置および撮像方法の一実施例として、デジタルカメラ１０に実施した形態につき、図面に沿って具体的に説明する。
【実施例１】
【００２０】
図１は実施例１のデジタルカメラ１０のブロック図を示している。デジタルカメラ１０は光学レンズ１２および絞り１４を含む。これらの光学レンズ１２および絞り１４の移動および絞り１４の調節は、モータ駆動部１６によって行われる。ただし、このモータ駆動部１６は、光学レンズ１２および絞り１４を別々に調節する図示しない２つのモータで構成される。
【００２１】
被写体の光学像は、光学レンズ１２および絞り１４を介して、撮像素子であるＣＣＤイメージャ１８の受光面上に結像させる。ＣＣＤイメージャ１８は図３に示すように、複数個のフォトダイオード１００と垂直転送レジスタ１０２と水平転送レジスタ１０４によって構成されている。これらのフォトダイオード１００の受光面にはＲ、Ｇ、Ｂの原色フィルタが装着されており、いずれか１つの原色成分を持つ光が照射される。フォトダイオード１００では光電変換が行われ、光の強さと時間に応じて蓄積された電荷の信号は、垂直転送レジスタに転送され、次に水平転送レジスタへ転送され、アナログ撮像信号として出力される。この転送動作は、シグナルジェネレータ（ＳＧ）２０によって生成されたＣＣＤイメージャ１８の駆動に必要な各種のパルス波形である電荷読み出しパルス、垂直転送パルスおよび水平転送パルスに従って行われる。静止画像を記録するときは、操作部４８による操作、例えばレリーズボタンが押下されるとＣＰＵ３２はＳＧ２０を制御し、ＣＣＤイメージャ１８から１フレーム分のアナログ撮像信号を出力させる。また、動画像を記録するとき、またはスルー画像を表示器４６に出力させるときは、ＣＰＵ３２はＣＣＤイメージャ１８から所定のフレームレートでアナログ撮像信号を出力させるよう、ＳＧ２０を制御する。出力されたアナログ撮像信号はＣＤＳ／ＡＧＣ回路２１へ入力され、相関２重サンプリング処理が施され、ゲイン調整が施される。
【００２２】
ＣＤＳ／ＡＧＣ回路２１から出力されたアナログ撮像信号はクランプ回路２２へ入力される。クランプ回路２２では、図４に示すように撮像素子内を有効エリアと光学的黒エリアであるクランプエリアとに割り当て、クランプエリアから得られる黒信号に基づいてアナログ撮像信号にクランプ処理が施される。クランプ処理が施されたアナログ撮像信号はＡ／Ｄ変換器２４へ出力されデジタル撮像信号に変換され、補正処理回路２６へ出力される。補正処理回路２６では、後述するデジタル暗信号によってデジタル撮像信号が補正処理される。
【００２３】
この補正処理は、撮像素子であるＣＣＤイメージャ１８に存在するノイズを含んでしまっているデジタル撮像信号に対し、該ノイズを除去するための補正である。補正されたデジタル撮像信号は、バス２８を経由してＳＤＲＡＭ３４に一旦格納され、信号処理回路２７にて色分離処理された後にＹ、Ｕ、Ｖ信号に変換され、デジタル画像信号としてＳＤＲＡＭ３４に再び格納される。静止画像を記録する際には、ＳＤＲＡＭ３４に格納されたデジタル画像信号は、ＣＰＵ３２の制御により、画像圧縮・伸張処理部３６でＪＰＥＧ圧縮処理が施され、圧縮画像データに変換される。そしてＣＰＵ３２の制御により、カード制御部３８は外部メモリカード４０を制御し圧縮画像データを記録する。
【００２４】
また、スルー画像を表示器４６に表示させる際において、ＳＤＲＡＭ３４に格納されたデジタル画像信号が、ＣＰＵ３２の制御によりＤ／Ａ変換器４２によってアナログ映像信号に変換され、ビデオエンコーダ４４によってＮＴＳＣ信号に変換され、ＣＰＵ３２が所定のフレームレートでスルー画像としてアナログ映像信号を表示器４６に表示するように制御している。
【００２５】
また、動画像を記録しながら、スルー画像を表示器４６に表示させる際において、ＳＤＲＡＭ３４に格納されたデジタル画像信号が、ＣＰＵ３２の制御により、画像圧縮・伸張処理部３６でＭＰＥＧ圧縮処理が施され圧縮画像データに変換された後、ＣＰＵ３２の制御によりカード制御部３８は外部メモリカード４０を制御し圧縮画像データを記録するとともに、ＳＤＲＡＭ３４に格納されたデジタル画像信号が、Ｄ／Ａ変換器４２によってアナログ映像信号に変換され、ビデオエンコーダ４４によってＮＴＳＣ信号に変換された後、所定のフレームレートでアナログ映像信号をスルー画像として表示器４６に表示される。
【００２６】
本実施例１では、Ａ／Ｄ変換されたデジタル撮像信号がＣＰＵ３２および補正処理回路２６にて補正される処理が実行される。この補正処理について、図２の補正処理回路２６のブロック図および図５を参照しながら説明する。
【００２７】
デジタルカメラ１０に電源が投入されると、表示器４６にスルー画像を表示させるべく、ＣＰＵ３２はＳＧ２０を制御し、所定フレームレートでＣＣＤイメージャ１８からアナログ撮像信号を出力させる。ここで、該所定フレームレートを第１フレームレートと定義し、本実施例１においては第１フレームレートを３０ｆｐｓとする（第１フレームレート＝３０ｆｐｓ）。この補正処理では、１秒間に１回１フレーム分を、デジタル撮像信号を補正するためのデジタル暗信号を取得するために割り当てている。つまり、第１フレームレートが３０ｆｐｓであるため、１秒間にＣＣＤイメージャ１８から出力される３０フレームのうち１フレームがデジタル暗信号を取得するために割り当てられ、２９フレームが表示器４６にスルー画像として表示させるためのデジタル撮像信号を取得するために割り当られる。このようにして、スルー画像として表示器４６に表示させるためのデジタル撮像信号に対し、デジタル暗信号を用いて補正している。
【００２８】
第１フレームレートでＣＣＤイメージャ１８からアナログ撮像信号を出力させる際における露光タイミングとＳＧ２０からＣＣＤイメージャ１８へ出力されるパルスを図５に示す。（ａ）は露光期間を示しており、（ｂ）はフォトダイオード１００から垂直転送レジスタ１０２へ電荷を転送する電荷読み出しパルスを示しており、（ｃ）はＣＣＤイメージャ１８からのアナログ撮像信号の出力状態を示している。
【００２９】
詳細には、１フレーム目の露光が行われると、ＳＧ２０はＣＣＤイメージャ１８に対し、電荷読み出しパルスを出力せず、垂直転送レジスタ１０２にはフォトダイオード１００からの電荷が転送されないまま、ＣＣＤイメージャ１８から１フレーム目のアナログ撮像信号が出力される。その出力中に、ＳＧ２０はサブパルスをＣＣＤイメージャ１８に与え、フォトダイオード１００が保持する電荷を吐き出す。つまり、フォトダイオード１００にたまった電荷を読み出すことなく、垂直転送レジスタ１０２が保持する電荷、つまりノイズである暗電流を水平転送レジスタ１０４へ転送し、ＣＣＤイメージャ１８からアナログ撮像信号として出力することとなる。ここでは、フォトダイオード１００の電荷を読み出すことなく、ＣＣＤイメージャ１８から出力された暗電流に基づくアナログ撮像信号を暗信号と呼ぶこととする。
【００３０】
次に、該暗信号は、上述したようなアナログ撮像信号と補正処理回路２６に出力されるまでの一連の同様の処理がなされる。ここでは、Ａ／Ｄ変換器２４から出力されるデジタル撮像信号をデジタル暗信号と呼ぶこととする。
【００３１】
ＣＰＵ３２は、Ａ／Ｄ変換器２４より１フレーム分のデジタル暗信号が出力される間、つまりＣＰＵ３２がＣＣＤイメージャ１８から暗信号を出力させるよう制御している間は、スイッチＳＷ１においてＴ１とＴ２が接続されるように制御する。Ｔ１とＴ２が接続されている間、Ａ／Ｄ変換器２４より出力される１フレーム分のデジタル暗信号は、ＳＲＡＭ２６ｂに入力されるとともに積分／比較回路２６ａに入力される。ＳＲＡＭ２６ｂはフラグＦの状態を保持するためのレジスタＦを備え、入力された１フレーム分のデジタル暗信号を格納する。また、積分／比較回路２６ａでは、１フレーム分の有効エリアのデジタル暗信号とクランプエリアのデジタル暗信号のレベルを夫々平均し、互いに比較する。そして、有効エリアのレベルがクランプエリアのレベルが高い場合は、ＳＲＡＭ２６ｂ内のレジスタＦに格納されているフラグＦをリセット（Ｆ＝０）にするリセット信号をＳＲＡＭ２６ｂに出力し、有効エリアのレベルがクランプエリアのレベルよりも低い場合は、フラグＦを立てる（Ｆ＝１）オン信号をＳＲＡＭ２６ｂに出力する。
【００３２】
そして、１フレーム目のアナログ撮像信号、つまりアナログ暗信号のＣＣＤイメージャ１８出力と平行して、２フレーム目の露光が行われる。そして、ＳＧ２０はＣＣＤイメージャ１８に対し、電荷読み出しパルスを与え、フォトダイオード１００から垂直転送レジスタ１０２に電荷を転送させる。垂直転送レジスタ１０２に転送された電荷は水平転送レジスタ１０４へ転送され、ＣＣＤイメージャ１８から２フレーム目のアナログ撮像信号として出力させる。そして、ＣＤＳ／ＡＧＣ回路２１、クランプ回路２２、Ａ／Ｄ変換回路２４にて上述した処理がなされ、補正処理回路２６にデジタル撮像信号として出力される。そして、ＣＰＵ３２は、Ａ／Ｄ変換器２４より２フレーム目以降のデジタル撮像信号が出力される間、つまりＣＣＤイメージャ１８よりアナログ撮像信号を出力させるよう制御している間は、スイッチＳＷ１においてＴ１とＴ３が接続されるように制御するとともに、レジスタＦに格納されているフラグＦの状態を検出する。
【００３３】
検出の結果、フラグＦが立っている場合（Ｆ＝１）は、ＣＰＵ３２はスイッチＳＷ２においてＴ４とＴ６を接続させ、２フレーム目のデジタル撮像信号を加算器２６ｄに与えるとともに、ＳＲＡＭ２６ｂを制御し、ＳＲＡＭ２６ｂに格納されているデジタル暗信号を加算器２６ｄに出力させる。加算器２６ｄでは、デジタル撮像信号とデジタル暗信号が加算され、バス２８を経由してＳＤＲＡＭ３４に格納される。また、フラグＦが立っていない場合（Ｆ＝０）は、ＣＰＵ３２はスイッチＳＷ２においてＴ４とＴ５を接続させ、２フレーム目のデジタル撮像信号を減算器２６ｃに与えるとともに、ＳＲＡＭ２６ｂを制御し、ＳＲＡＭ２６ｂに格納されているデジタル暗信号を減算器２６ｃに出力させる。減算器２６ｃでは、デジタル撮像信号からデジタル暗信号が減算され、バス２８を経由してＳＤＲＡＭ３４に格納される。
【００３４】
ＳＤＲＡＭ３４に格納された加算または減算されたデジタル撮像信号は、上述したように信号処理回路２７において色分離処理が施されＹ、Ｕ、Ｖ信号に変換されＤ／Ａ変換器４２、ビデオエンコーダ４４を経て表示器４６へ出力される。このとき、表示器４６へ出力されるアナログ映像信号のフレームレートを第２フレームレートとすると、第２フレームレートは第１フレームレートよりも低いフレームレートである。つまり、第１フレームレート＝３０ｆｐｓであるならば、第２フレームレート＝２９ｆｐｓとなる。そうすることで、表示器４６に表示されるスルー画像を見たユーザは違和感を覚えない。
【００３５】
次に、２フレーム目のアナログ撮像信号のＣＣＤイメージャ１８出力と並行して、３フレーム目の露光が行われる。３フレーム目以降３０フレーム目までは、上述した２フレーム目の処理と同様である。そして、３１フレーム目の処理は、上述した１フレーム目の処理と同様であり、１フレーム目のデジタル暗信号は、３１フレーム目のデジタル暗信号に更新され、同様にフラグＦも更新される。そして、３２フレーム目のデジタル撮像信号は３１フレーム目のデジタル暗信号によって補正され、以後同様に３３フレーム目から６０フレーム目のデジタル撮像信号は３１フレーム目のデジタル暗信号によって補正される。そして、補正されたデジタル画像信号は、第２フレームレート＝２９ｆｐｓで順次表示器４６に表示される。
【００３６】
次に、第１フレームレートが３０ｆｐｓであるスルー画像を表示させる際のデジタルカメラ１０、特にＣＰＵ３２と補正処理回路２６における補正処理の手順について図６および図７のフローチャートを用いて説明する。
【００３７】
スルー画像を表示させるモードに移行すると、ＣＰＵ３２はステップＳ１にて変数Ｐを１に設定し（Ｐ＝１）、ステップＳ３へ進む。変数ＰはＣＰＵ３２内の図示しないレジスタに格納されている。ステップＳ３では、Ｐフレーム目のフォトダイオード１００から垂直転送レジスタ１０２への電荷転送をストップし、ＣＣＤイメージャ１８からアナログ暗信号を出力させ、スイッチＳＷ１を制御しＴ１とＴ２を接続させる。そしてステップＳ７へ進み、補正処理回路２６では、デジタル暗信号レベルＮをＳＲＡＭ２６ｂに記録／更新する。次にステップＳ９へ進み、積分／比較回路２６ａにて１フレーム分の有効エリアのデジタル暗信号レベルＥとクランプエリアのデジタル暗信号レベルＣを夫々平均し、互いを比較する。
【００３８】
ステップＳ１１では、積分／比較回路２６ａにおいてデジタル暗信号レベルＣがデジタル暗信号レベルＥよりも大きいか否かを判別する。ステップＳ１１でＹＥＳと判別した場合、積分／比較回路２６ａはＳＲＡＭ２６ｂにオン信号を出力し、ステップＳ１３へ進みＳＲＡＭ２６ｂ内のレジスタＦのフラグを立て（Ｆ＝１）、ＮＯと判別した場合、ステップＳ１５へ進みＳＲＡＭ２６ｂにリセット信号を出力し、レジスタＦのフラグをリセット（Ｆ＝０）する。
【００３９】
ステップＳ１３およびステップＳ１５の処理後は、ステップＳ１７へ進み、ＣＰＵ３２は変数Ｐに１をインクリメントする（Ｐ＝Ｐ＋１）。次にステップＳ１９へ進み、ＣＣＤイメージャ１８からＰフレーム目のアナログ撮像信号を出力させ、スイッチＳＷ１を制御しＴ１とＴ３を接続させる。次にステップＳ２１へ進み、ＣＰＵ３２はフラグＦの状態を検出する。
【００４０】
次のステップＳ２３において、ＣＰＵ３２はフラグＦが立っているか否かを判別する。ステップＳ２３においてＹＥＳと判別すると、ステップＳ２５へ進み、ＣＰＵ３２は、スイッチＳＷ２を制御しＴ４とＴ５を接続させるとともに、ＳＲＡＭ２６ｂに格納されているデジタル暗信号を減算器２６ｃへ出力するよう制御する。減算器２６ｃではＰフレーム目のデジタル撮像信号からデジタル暗信号Ｎを減算する。また、ステップＳ２３において、ＮＯと判別するとステップＳ２７へ進み、ＣＰＵ３２はスイッチＳＷ２を制御しＴ４とＴ６を接続させるとともに、ＳＲＡＭ２６ｂに格納されているデジタル暗信号を加算器２６ｄへ出力するよう制御する。加算器２６ｄではＰフレーム目のデジタル撮像信号にデジタル暗信号Ｎを加算する。
【００４１】
ステップＳ２５およびステップＳ２７の処理後はステップＳ２９へ進み、ＣＰＵ３２は、Ｐフレーム目が３０フレーム目であるか否かを判別する。ステップＳ２９においてＮＯと判別するとステップＳ１７へ戻り、ＹＥＳと判別するとステップＳ１へ戻る。
【００４２】
なお、便宜上ステップＳ７の次にステップＳ９、Ｓ１１、Ｓ１３、Ｓ１５を順次処理させることとして説明したが、ステップＳ７とステップＳ９〜ステップＳ１５までの処理は並行して行っている。
【００４３】
このように、スルー画像を表示させる際に、クランプエリアと有効エリアとの間のデジタル暗信号のレベルの差に基づいて、ＳＲＡＭ２６ｂに記録されている１フレーム分のデジタル暗信号を、所定フレームレートで順次ＣＣＤイメージャ１８から出力されるアナログ撮像信号に基づくデジタル撮像信号に対し、加算もしくは減算する補正処理を行うことによりノイズを除去するための適切な補正を施すことができる。
【００４４】
また、補正処理に使用されるデジタル暗信号は周期的に更新されるため、撮像素子の環境が変化した場合でも、適正な補正処理を行うことが出来る。  
【実施例２】
【００４５】
図８は実施例２のデジタルカメラ５０のブロック図を示している。実施例２のデジタルカメラ５０は、実施例１のデジタルカメラ１０に動き量検出回路５２をさらに備えたものである。実施例１で説明したデジタルカメラ１０のそれぞれの機能は、実施例２においても適用される。従って、実施例２では実施例１と異なる機能のみを説明する。
【００４６】
動き量検出回路５２はＣＰＵ３２の指示より動作する。該動作は、信号処理回路２７から出力されたデジタル画像信号を、順次所定フレーム分取り込むことによって前後のフレーム間の動き量Ｖを検出するものである。
【００４７】
実施例１のデジタルカメラ１０では、第１フレームレート＝３０ｆｐｓでＣＣＤイメージャ１８からアナログ撮像信号を出力させており、第２フレームレート＝２９ｆｐｓでスルー画像が表示器４６に表示される際には、１秒間に１回１フレーム分、つまり３０フレーム分中の１フレーム分をデジタル撮像信号を補正するためのデジタル暗信号を取得するために割り当てている。それに対し、実施例２のデジタルカメラ５０では、動き量検出回路５２の出力に基づいて激しい動きがあったと判断すると、１秒間は上述した補正処理を行わない。つまり、１秒間の３０フレーム分中の１フレーム分を２９フレーム分のデジタル撮像信号を補正するためのデジタル暗信号を取得するために割り当てるといった処理は行わない。そして、ＣＣＤイメージャ１８から出力されるアナログ撮像信号の第１フレームレートと表示器４６に出力されるアナログ映像信号の第２フレームレートは等しくなる。
【００４８】
このような補正処理を行わない理由として、被写体の動きが激しいときにＣＣＤイメージャ１８から出力される３０フレーム分中の１フレーム分をデジタル暗信号を取得するために割り当ててしまうと、表示器４６に表示された映像を見た使用者が１フレーム分の欠如に違和感を覚えてしまう恐れがあるためである。
【００４９】
以下に、第１フレームレートが３０ｆｐｓであるスルー画像を表示させる際の動き量Ｖに基づくデジタルカメラ５０、特にＣＰＵ３２、補正処理回路２６における補正処理の手順について図９および図１０のフローチャートを用いて説明する。
【００５０】
スルー画像を表示させるモードに移行すると、ＣＰＵ３２はステップＳ５１にて変数Ｒを１に設定し（Ｒ＝１）、ステップＳ５３へ進む。ステップ５３では、Ｒフレーム目のアナログ撮像信号をＣＣＤイメージャ１８より出力させる。次にステップＳ５４へ進み、ＣＰＵ３２はＲフレーム目のデジタル画像信号を動き量検出回路５２へ転送し、動き量検出回路５２から出力される前後フレームの動き量Ｖを検出し、ＳＤＲＡＭ３４へ格納する。
【００５１】
次にステップＳ５５へ進み、変数Ｒが３であるか否かを判別する。ステップＳ５５においてＮＯと判別すると、ステップＳ５７へ進みＲに１をインクリメントし（Ｒ＝Ｒ＋１）、ステップＳ５３へ戻る。ステップＳ５５においてＹＥＳと判別すると、ステップＳ５９へ進み、ＳＤＲＡＭ３４に格納されている複数の動き量Ｖから１フレーム目と３フレーム目間の動き量Ｖ１３を算出する。
【００５２】
次にステップＳ６１へ進み、動き量Ｖ１３が閾値Ｔｈａよりも大きいか否かを判別し、ＹＥＳの場合はステップＳ６５へ、ＮＯの場合はステップＳ６３へ進む。ステップＳ６５では、Ｒフレーム目のアナログ撮像信号をＣＣＤイメージャ１８より出力させる。そしてステップＳ６７へ進み、変数Ｒが３０であるか否かを判別する。ステップＳ６７において、ＮＯと判別した場合は、ステップＳ６９へ進み、変数Ｒに１をインクリメントし（Ｒ＝Ｒ＋１）、ステップＳ６５へ戻る。ステップＳ６７において、ＹＥＳと判別した場合は、ステップＳ５１へ戻り変数Ｒを１に設定する。
【００５３】
ステップＳ６３では、図１０のフローチャートに示す処理が行われる。ステップＳ６１の次はステップＳ７１へ進み、変数ＰをＲに設定する（Ｐ＝Ｒ）。そして、ステップＳ７３へ進み、実施例１の図６および図７のフローチャートに示す、ステップＳ３〜ステップＳ２７と同じ処理を実行する。ステップＳ７３の次はステップＳ７５へ進み、変数Ｐが３０であるか否かを判別する。ステップＳ７５においてＮＯと判別すると、ステップ７３へ戻り実施例１のステップＳ３〜ステップＳ２７を再び繰り返し、ＹＥＳと判別するとステップＳ５１へ戻り変数Ｒを１に設定する（Ｒ＝１）。
【００５４】
このように、実施例２のデジタルカメラ５０は、ＣＣＤイメージャ１８から順次出力されるアナログ撮像信号の動き量が多いとき、つまり被写体の動きが激しいときは補正処理を実行せず第１フレームレートと等しい第２フレームレートで表示器４６にアナログ映像信号を出力することができるため、使用者は違和感を覚えることなくスルー画像を注視することができる。
【実施例３】
【００５５】
図１１は実施例３のデジタルカメラ８０のブロック図を示している。実施例３のデジタルカメラ８０は、実施例１のデジタルカメラ１０に輝度検出回路８２をさらに備えたものである。従って、実施例１で説明したデジタルカメラ１０のそれぞれの機能は、実施例３においても適用される。実施例３では、実施例１と異なる機能のみを説明する。
【００５６】
輝度検出回路８２は、ＣＰＵ３２の指示により動作する。該動作は、信号処理回路２７から順次出力されるフレーム毎のデジタル画像信号から１フレーム分の平均輝度を検出するものである。
【００５７】
実施例１のデジタルカメラ１０では、第１フレームレート＝３０ｆｐｓでＣＣＤイメージャ１８からアナログ撮像信号を出力させて、第２フレームレート＝２９ｆｐｓでスルー画像が表示器４６に表示される際には、１秒間に１回１フレーム分、つまり３０フレーム分中の１フレーム分をデジタル撮像信号を補正するためのデジタル暗信号を取得するために割り当てているが、実施例２のデジタルカメラ５０では、動き量検出回路５２の出力に基づいて激しい動きがあったと判断すると、１秒間は上述した補正処理を行わない。つまり、１秒間の３０フレーム分中の１フレーム分を２９フレーム分のデジタル撮像信号を補正するためのデジタル暗信号を取得するために割り当てるといった処理は行わない。そして、ＣＣＤイメージャ１８から出力されるアナログ撮像信号の第１フレームレートと表示器４６に出力されるアナログ映像信号の第２フレームレートは等しくなる。
【００５８】
このような補正処理を行わない理由としては、明るい被写体のＣＣＤイメージャ１８から出力されるアナログ撮像信号に基づいて表示器４６に表示されるアナログ映像信号を使用者が見たときに、撮像素子であるＣＣＤイメージャ１８に存在するノイズの影響を感じにくいことが挙げられる。従って、実施例２においては補正処理よりも表示器４６に出力するアナログ映像信号の第２フレームレートを第１フレームレートにすることを優先させている。
【００５９】
また、暗い被写体のＣＣＤイメージャ１８から出力されるアナログ撮像信号に基づくアナログ映像信号を使用者が見たときは、ＣＤＳ／ＡＧＣ回路２１においてゲインをアップさせる調整を行っている場合が多く、その場合はアナログ暗信号もゲインアップされるために、使用者はノイズによる影響を感じやすい。従って、暗い被写体のアナログ画像信号がＣＣＤイメージャ１８から出力される場合は、補正処理を行ったほうが良い。
【００６０】
以下に、第１フレームレートが３０ｆｐｓであるスルー画像を表示させる際のデジタルカメラ８０、特にＣＰＵ３２、補正処理回路２６における補正処理の手順について図１２および図１３のフローチャートを用いて説明する。
【００６１】
スルー画像を表示させるモードに移行すると、ＣＰＵ３２はステップＳ８１にて変数Ｕを１に設定し（Ｕ＝１）、ステップＳ８３へ進む。ステップ８３では、Ｕフレーム目のアナログ撮像信号をＣＣＤイメージャ１８より出力させる。次にステップＳ８５へ進み、Ｕフレーム目の平均輝度Ｂを検出し、ＳＤＲＡＭ３４に格納する。ここで、Ｕ＝１であるときは平均輝度Ｂを輝度Ｂ１として、Ｕ＝２であるときは平均輝度Ｂを輝度Ｂ２として、Ｕ＝３であるときは平均輝度Ｂを輝度Ｂ３として夫々格納する。
【００６２】
そして、ステップＳ８７へ進み、変数Ｕが３であるか否かを判別する。ステップＳ８７において、ＮＯと判別するとステップＳ９１へ進み変数Ｕに１をインクリメントし（Ｕ＝Ｕ＋１）、ステップＳ８３へ戻る。ステップＳ８７において、ＹＥＳと判別するとステップＳ８９へ進み、輝度Ｂ１、Ｂ２、Ｂ３と閾値Ｔｈｂとを夫々比較する。
【００６３】
次にステップＳ９５へ進み、輝度Ｂ１、Ｂ２、Ｂ３の夫々がすべて閾値Ｔｈｂよりも大きいか否かを判別する。ステップＳ９５においてＹＥＳと判別すると、ステップＳ９７へ進み、Ｕフレーム目のアナログ撮像信号をＣＣＤイメージャ１８より出力させる。そして、ステップＳ９９へ進み、変数Ｕが３０であるか否かを判別する。ステップＳ９９においてＹＥＳと判別するとステップＳ８１へ戻り、ＮＯと判別すると、ステップＳ１０１で変数Ｕに１をインクリメントし（Ｕ＝Ｕ＋１）、ステップＳ９７へ戻る。
【００６４】
ステップＳ９５においてＮＯと判別するとステップＳ１０３へ進む。ステップＳ１０３では、図１３のフローチャートに示す処理が行われる。ステップＳ９５の次は、ステップＳ１０５へ進み、変数ＰをＵに設定する（Ｐ＝Ｕ）。そして、ステップＳ１０７へ進み、
実施例１の図６および図７のフローチャートに示すステップＳ３〜ステップＳ２７と同じ処理を実行する。ステップ１０７の次はステップＳ１０９へ進み、変数Ｐが３０であるか否かを判別し、ＹＥＳと判別するとステップＳ８１へ戻り、ＮＯと判別するとステップＳ１０７へ戻る。
【００６５】
このように、実施例３のデジタルカメラ８０において、ＣＣＤイメージャ１８から順次出力される各フレームのアナログ撮像信号の平均輝度が高い場合は、補正処理を実行せずに第１フレームレートと等しい第２フレームレートで表示器４６にアナログ映像信号を出力することが出来るため、使用者はノイズの影響を多く感じることなくスルー画像を注視することができる。
【００６６】
上記の実施例１〜実施例３の説明では、スルー画像を表示器４へ表示させる際の補正処理について説明したが、動画像を外部メモリカード４０に記録する際にも適用できる。動画像のフレームレートが６０ｆｐｓの場合、１秒間にＣＣＤイメージャ１８から出力される６０フレームのうち１フレームをデジタル暗信号を取得するために割り当てられ、５９フレームを外部メモリカード４０に記録するためのデジタル撮像信号を取得するために割り当てる。そして、外部メモリカード４０に記録されたデジタル画像信号を再生する際には、ＣＰＵ３２は１秒間に５９枚を表示器４６に表示させるべく制御する。また、１秒毎に１フレームをデジタル暗信号を取得させるために割り当てて更新させるのではなく、１分間に１フレームをデジタル暗信号を取得させるために割り当てて更新させても良い。後者の方が、デジタル暗信号を取得するために割り当てられるフレーム数が少なくなるため、より多くの動画像データを記録することができる。また、外部メモリカード４０に記録されている動画像データを再生させる際には、ＣＰＵ３２は画像圧縮・伸張処理部３６にてデジタル圧縮画像に対し伸張処理を施し、Ｄ／Ａ変換器４２、ビデオエンコーダ４４を経て表示器４６へアナログ映像データを表示させる。１分間に１フレームをデジタル暗信号を取得させるために割り当てて、補正処理が施されたデジタル圧縮画像信号を表示器４６に表示させる際には、ＣＰＵ３２は１分間に３５９９枚を表示させるように制御を行う。
【００６７】
このように、本実施例１によれば、スルー画像を表示させる際や長時間動画像を撮像する際において、周期的に撮像素子の暗信号レベルを検出し、かつ撮像素子のクランプエリアと有効エリアの暗信号レベルに基づいて補正方法を異ならしめて補正処理を行うため、撮像素子の環境が変化したとしても暗信号による影響を持たない画像信号を得ることができる。
【００６８】
なお、本実施例のデジタルカメラではアナログ撮像信号を出力させる撮像素子としてＣＣＤイメージャを用いたが、ＣＭＯＳイメージャでも適用可能である。
【００６９】
また、実施例２のデジタルカメラ５０と実施例３のデジタルカメラ８０において、補正処理を行わない条件として、実施例２では順次出力されるフレーム間において激しい動きがあった場合であり、実施例３では順次出力されるフレームの被写体が全て明るい場合であるが、これらの条件を組み合わせて補正処理を行う場合と行わない場合の条件を設計してもよい。
【００７０】
また、実施例２のデジタルカメラ５０において、激しい動きを検出するための使用される複数のフレームを３フレームとしたが、何フレームでもかまわない。同様に、実施例３のデジタルカメラ８０において、被写体が明るいことを判別するために使用される複数のフレームを３フレームとしたが、何フレームでもかまわない。
【００７１】
なお、本実施例のデジタルカメラでは、ＣＣＤイメージャ１８内のフォトダイオード１００の電荷を読み出さずに垂直転送レジスタ１０２を読み出すことによりデジタル暗信号を生成しているが、絞り１４を閉塞させるかまたは図示しないメカニカルシャッタを閉じることによりフォトダイオード１００に受光させずに光電変換させ、ＳＧ２０の読み出しパルスによりフォトダイオード１００の電荷を垂直転送レジスタ１０２に転送し、ＣＣＤイメージャ１８よりアナログ暗信号として出力させ、デジタル暗信号を生成しても良い。この場合、垂直転送レジスタ１０２に存在する暗信号だけではなく、フォトダイオード１００に存在する暗信号も加味できるため、より一層、適正な補正処理を行うことが出来る。
【００７２】
また、本実施例において第１フレームレートを３０ｆｐｓとし、第２フレームレートを２９ｆｐｓとしたが、これに限られるものではない。
【００７３】
また、本実施例では、補正処理をＣＰＵ３２と補正処理回路２６にて行っているが、ＣＰＵ３２がすべての処理を実行してもかまわない。この場合、デジタルカメラの構成要素である補正処理回路２６は不要となり、図６および図７に示したＣＰＵ３２および補正処理回路２６で実行される補正処理をＣＰＵ３２がすべて実行する。補正処理回路２６にて実行されていた処理をＣＰＵ３２で行う場合を説明すると、Ａ／Ｄ変換器２４から出力される１フレーム分のデジタル暗信号は、別途バス２８に接続されたレジスタＦを含むＳＲＡＭに格納される。ＣＰＵ３２は１フレーム分のデジタル暗信号からクランプエリアのデジタル暗信号と有効エリアのデジタル暗信号から夫々平均暗信号レベルを検出し比較する。そして比較の結果、クランプエリアの暗信号レベルが大きい場合は、ＳＲＡＭ内のレジスタＦのフラグを立て（Ｆ＝１）、有効エリアの暗信号レベルが大きい場合は、ＳＲＡＭ内のレジスタＦのフラグをリセット（Ｆ＝０）する。そして、ＣＰＵ３２は、Ｆ＝１のときは２フレーム目以降のデジタル撮像信号からデジタル暗信号を減算し、Ｆ＝０のときは２フレーム以降のデジタル撮像信号にデジタル暗信号を加算する。
【図面の簡単な説明】
【００７４】
【図１】本実施例１に係るデジタルカメラを示すブロック図である。
【図２】本実施例１に係るデジタルカメラに含まれる補正処理回路を示すブロック図である。
【図３】本実施例に係るＣＣＤイメージャの画素配置を示す図解図である。
【図４】本実施例に係るＣＣＤイメージャの内部を示す図解図である。
【図５】本実施例に係るデジタルカメラのフレームレートが３０ｆｐｓでＣＣＤイメージャ１８からアナログ撮像信号を出力させる際の露光タイミングとシグナルジェネレータからＣＣＤイメージャ１８へ出力されるパルスを示した図解図である。
【図６】本実施例１に係るデジタルカメラの補正処理の一部を表すフローチャートである。
【図７】図５に表すフローチャートの続きの補正処理の一部を表すフローチャートである。
【図８】本実施例２にデジタルカメラを示すブロック図である。
【図９】本実施例２に係るデジタルカメラの補正処理の一部を表すフローチャートである。
【図１０】図８に表すフローチャートの続きの補正処理の一部を表すフローチャートである
【図１１】本実施例３に係るデジタルカメラを示すブロック図である。
【図１２】本実施例３に係るデジタルカメラの補正処理の一部を表すフローチャートである。
【図１３】図１１に表すフローチャートの続きの補正処理の一部を表すフローチャートである。
【符号の説明】
【００７５】
１０・・・    デジタルカメラ
１４・・・    絞り
１６・・・    モータ駆動部
１８・・・    ＣＣＤイメージャ
２０・・・    シグナルジェネレータ（ＳＧ）
２２・・・    クランプ回路
２４・・・    Ａ／Ｄ変換器
２６・・・    補正処理回路
２６ａ・・・  積分／比較回路
２６ｂ・・・  ＳＲＡＭ
２６ｃ・・・  減算器
２６ｄ・・・  加算器
２８・・・    バス
３２・・・    ＣＰＵ
３４・・・    ＳＤＲＡＭ
３６・・・    画像圧縮・処理部
４２・・・    Ｄ／Ａ変換器
４４・・・    ビデオエンコーダ４４
４６・・・    表示器
５０・・・    デジタルカメラ
５２・・・    動き量検出回路
８０・・・    デジタルカメラ
８２・・・    輝度検出回路
ＳＷ１・・・  スイッチ
ＳＷ２・・・  スイッチ
【図１】
0005188171.tif 000002
【図２】
0005188171.tif 000003
【図３】
0005188171.tif 000004
【図４】
0005188171.tif 000005
【図５】
0005188171.tif 000006
【図６】
0005188171.tif 000007
【図７】
0005188171.tif 000008
【図８】
0005188171.tif 000009
【図９】
0005188171.tif 000010
【図１０】
0005188171.tif 000011
【図１１】
0005188171.tif 000012
【図１２】
0005188171.tif 000013
【図１３】
0005188171.tif 000014